(57)【要約】  ＴＦＣ（Transport Format Combination：トランスポート・フォーマット・コンビネーション）を選択するための方法および装置を開示する。ＴＦＣ回復および除去ユニットが、新しい割り当てられた無線リソースおよびパラメータに基づき、サポートされたＴＦＣを回復すること、およびサポートされなかったＴＦＣを除去することにより、許容されたＴＦＣＳ（Transport Format Combination Set：トランスポート・フォーマット・コンビネーションセット）のサブセットを生成する。多重化およびＴＳＮ（Transmission Sequence Number：送信シーケンス番号）設定ユニットが、最大のサポートされたＭＡＣ（Medium Access Control：媒体アクセス制御）ＰＤＵ（Protocol Data Unit：プロトコル・データ・ユニット）サイズの中で少なくとも１つの上位層のＰＤＵを多重化することによって、ＭＡＣ  ＰＤＵを生成する。ＴＦＣ選択および詰め込み（padding）ユニットが、許容されたＴＦＣＳサブセットからＭＡＣ  ＰＤＵに対するＴＦＣを選択し、かつ必要なら、ＭＡＣ  ＰＤＵが選択されたＴＦＣに合致するように、ＭＡＣ  ＰＤＵの詰め込みを実行する。再送信に関しては、新しい無線リソースおよびパラメータに基づき新しく許容されたＴＦＣＳサブセットが生成される場合があり、そしてＭＡＣ  ＰＤＵが断片化される場合がある。
2009520404.tif 000002
【特許請求の範囲】
【請求項１】
データの無線送信のためのＴＦＣ（Transport Format Combination：トランスポート・フォーマット・コンビネーション）を選択するための方法であって、
（ａ）送信用の無線リソースおよびパラメータを割り当てるステップと、
（ｂ）前記割り当てられた無線リソースおよびパラメータに基づき、サポートされたＴＦＣを回復することおよびサポートされなかったＴＦＣを除去することによって、許容されたＴＦＣＳ（Transport Format Combination Set：トランスポート・フォーマット・コンビネーション・セット）サブセットを生成するステップであって、ＴＦ（Transport Format：トランスポート・フォーマット）の属性がＭＣＳ（Modulation and Coding Scheme：変調および符号化方式）を含む、ステップと、
（ｃ）最大のサポートされたＭＡＣ（Medium Access Control：媒体アクセス制御）ＰＤＵ（Protocol Data Unit：プロトコル・データ・ユニット）サイズ中で、少なくとも１つの上位層ＰＤＵを多重化することによって、ＭＡＣ  ＰＤＵを生成するステップと、
（ｄ）前記許容されたＴＦＣＳサブセットから前記ＭＡＣ  ＰＤＵのためのＴＦＣを選択するステップと、
（ｅ）前記ＭＡＣ  ＰＤＵが前記選択されたＴＦＣに合致するように、前記ＭＡＣ  ＰＤＵに対して詰め込みを実行するステップと、
（ｆ）前記ＭＡＣ  ＰＤＵを送信するステップと
を備えることを特徴とする方法。
【請求項２】
前記許容されたＴＦＣＳサブセットは、残存送信電力に基づいて生成されることを特徴とする請求項１に記載の方法。
【請求項３】
前記許容されたＴＦＣＳサブセットは、推奨ＭＣＳに対応する送信電力に基づいて生成されることを特徴とする請求項２に記載の方法。
【請求項４】
前記許容されたＴＦＣＳサブセットは、所要電力が前記残存送信電力および前記推奨ＭＣＳに対応する送信電力を超過する任意のＴＦＣを除去することにより生成されることを特徴とする請求項３に記載の方法。
【請求項５】
前記許容されたＴＦＣＳサブセットは、副搬送波ブロックの所要数が、割り当てられた副搬送波ブロックの数を超過する任意のＴＦＣを除去することにより生成されることを特徴とする請求項３に記載の方法。
【請求項６】
前記許容されたＴＦＣＳサブセットは、ＭＣＳが、前記推奨ＭＣＳを超過する任意のＴＦＣを除去することにより生成されることを特徴とする請求項３に記載の方法。
【請求項７】
前記ＴＦの前記属性は、副搬送波ブロックの分布および前記数を含むことを特徴とする請求項１に記載の方法。
【請求項８】
前記許容されたＴＦＣＳサブセットが、残存送信電力、推奨ＭＣＳに対応する送信電力、および割り当てられた副搬送波ブロックの前記数の少なくとも１つに基づき発生されること、を特徴とする請求項７に記載の方法。
【請求項９】
（ｇ）前記ＭＡＣ  ＰＤＵの最初の送信が失敗したときに、前記ＭＡＣ  ＰＤＵを再送信するステップであって、前記再送信が、前記ＭＡＣ  ＰＤＵの前記最初の送信のために使用されたものと同一の無線リソースおよびパラメータを使用することによって、実行されるステップをさらに備えることを特徴とする請求項１に記載の方法。
【請求項１０】
前記最初の送信のために使用されたものと同一のＴＦＣは、前記ＭＡＣ  ＰＤＵの再送信のために使用されることを特徴とする請求項９に記載の方法。
【請求項１１】
前記ＭＡＣ  ＰＤＵの再送信のために新しいＴＦＣが選択されることを特徴とする請求項９に記載の方法。
【請求項１２】
前記ＭＡＣ  ＰＤＵが、再送信のために複数の断片化ＰＤＵに断片化され、それにより、それぞれの断片化されたＰＤＵが、別々に再送信されることを特徴とする請求項９に記載の方法。
【請求項１３】
前記最大のサポートされたＭＡＣ  ＰＤＵサイズのために、断片化のためのオーバヘッドが考慮されることを特徴とする請求項１２に記載の方法。
【請求項１４】
前記ＭＡＣ  ＰＤＵの前記最初の送信のために使用されたものと同一のＴＦＣが、前記断片化ＰＤＵの第１の再送信のために使用されることを特徴とする請求項１２に記載の方法。
【請求項１５】
前記ＭＡＣ  ＰＤＵの最初の送信のために使用された前記ＴＦＣと比較してより低いＭＣＳを有するＴＦＣが、前記断片化されたＰＤＵの第１の再送信のために使用されることを特徴とする請求項１２に記載の方法。
【請求項１６】
ＮＡＣＫ（Negative ACKnowledgement：否定応答）により応答された断片のみが、引き続き再送信されることを特徴とする請求項１２に記載の方法。
【請求項１７】
最高の許容可能なＭＣＳと比較してより低いＭＣＳを有するＴＦＣが、ＮＡＣＫにより応答された前記断片のために使用されることを特徴とする請求項１６に記載の方法。
【請求項１８】
（ｇ）前記ＭＡＣ  ＰＤＵの送信が失敗したときに、新しい無線リソースおよびパラメータを割り当てるステップと、
前記ＭＡＣ  ＰＤＵの再送信のための新しいＴＦＣを選択するためにステップ（ｂ）〜（ｅ）を繰り返すステップと
をさらに備えることを特徴とする請求項１に記載の方法。
【請求項１９】
前記ＭＡＣ  ＰＤＵが、複数の断片化ＰＤＵに断片化され、それによって、それぞれの断片化されたＰＤＵが別々に再送信されることを特徴とする請求項１８に記載の方法。
【請求項２０】
前記最大のサポートされたＭＡＣ  ＰＤＵサイズのために、断片化のためのオーバヘッドが考慮されることを特徴とする請求項１９に記載の方法。
【請求項２１】
前記ＭＡＣ  ＰＤＵの最初の送信のために使用されたものと同一のＴＦＣが、前記断片化ＰＤＵの第１の再送信のために使用されることを特徴とする請求項２０に記載の方法。
【請求項２２】
前記ＭＡＣ  ＰＤＵの最初の送信のために使用された前記ＴＦＣと比較してより低いＭＣＳを有するＴＦＣが、前記断片化されたＰＤＵの第１の再送信のために使用されることを特徴とする請求項２０に記載の方法。
【請求項２３】
ＮＡＣＫ（Negative ACKnowledgement：否定応答）により応答された断片化ＰＤＵのみが、引き続き再送信されることを特徴とする請求項１９に記載の方法。
【請求項２４】
最高の許容可能なＭＣＳと比較してより低いＭＣＳを有するＴＦＣが、ＮＡＣＫにより応答された前記断片化されたＰＤＵのために使用されることを特徴とする請求項２３に記載の方法。
【請求項２５】
前記無線通信システムが、３Ｇ  ＨＳＰＡ（High Speed Packet Access：高速パケット・アクセス）システムであることを特徴とする請求項１に記載の方法。
【請求項２６】
前記無線通信システムが、３Ｇシステムの長期発展形（long term evolution）であることを特徴とする請求項１に記載の方法。
【請求項２７】
データの無線送信のためのＴＦＣ（Transport Format Combination：トランスポート・フォーマット・コンビネーション）を選択するための装置であって、
割り当てられた無線リソースおよびパラメータに基づいて、サポートされたＴＦＣを回復することおよびサポートされなかったＴＦＣを除去することにより、許容されたＴＦＣＳ（Transport Format Combination Set：トランスポート・フォーマット・コンビネーション・セット）サブセットを生成するためのＴＦＣ回復および除去ユニットであって、ＴＦ（Transport Format：トランスポート・フォーマット）の属性がＭＣＳ（Modulation and Coding Scheme：変調および符号化方式）を含む、ＴＦＣ回復および除去ユニットと、
最大のサポートされたＭＡＣ（Medium Access Control：媒体アクセス制御）ＰＤＵ（Protocol Data Unit：プロトコル・データ・ユニット）サイズ中で、少なくとも１つの上位層ＰＤＵを多重化することによって、ＭＡＣ  ＰＤＵを生成するための多重化およびＴＳＮ（Transmission Sequence Number：送信シーケンス番号）設定ユニットと、
前記許容されたＴＦＣＳサブセットから前記ＭＡＣ  ＰＤＵのためのＴＦＣを選択するための、および前記ＭＡＣ  ＰＤＵが前記選択されたＴＦＣに合致するように、前記ＭＡＣ  ＰＤＵに対して詰め込みを実行するための、ＴＦＣ選択および詰め込みユニットと
を備えることを特徴とする装置。
【請求項２８】
前記許容されたＴＦＣＳサブセットは、残存送信電力に基づいて生成されることを特徴とする請求項２７に記載の装置。
【請求項２９】
前記許容されたＴＦＣＳサブセットは、推奨ＭＣＳに対応する送信電力に基づいて生成されることを特徴とする請求項２８に記載の装置。
【請求項３０】
前記許容されたＴＦＣＳサブセットは、所要電力が前記残存送信電力、および前記推奨ＭＣＳに対応する送信電力を超過する任意のＴＦＣを除去することにより生成されることを特徴とする請求項２９に記載の装置。
【請求項３１】
前記許容されたＴＦＣＳサブセットは、副搬送波ブロックの所要数が割り当てられた副搬送波ブロックの数を超過する任意のＴＦＣを除去することにより生成されることを特徴とする請求項２９に記載の装置。
【請求項３２】
前記許容されたＴＦＣＳサブセットは、ＭＣＳが前記推奨ＭＣＳを超過する任意のＴＦＣを除去することにより生成されることを特徴とする請求項２９に記載の装置。
【請求項３３】
前記ＴＦの前記属性が、副搬送波ブロックの分布および数を含むことを特徴とする請求項２７に記載の装置。
【請求項３４】
前記許容されたＴＦＣＳサブセットは、残存送信電力、推奨ＭＣＳに対応する送信電力、および割り当てられた副搬送波ブロックの前記数の少なくとも１つに基づき生成されることを特徴とする請求項３３に記載の装置。
【請求項３５】
前記ＭＡＣ  ＰＤＵの最初の送信が失敗したときに、前記ＭＡＣ  ＰＤＵが再送信され、前記再送信は、前記ＭＡＣ  ＰＤＵの前記最初の送信のために使用されたものと同一の無線リソースおよびパラメータを使用することによって実行されることを特徴とする請求項１に記載の装置。
【請求項３６】
前記最初の送信のために使用されたものと同一のＴＦＣが、前記ＭＡＣ  ＰＤＵの再送信のために使用されることを特徴とする請求項３５に記載の装置。
【請求項３７】
前記ＭＡＣ  ＰＤＵの再送信のために新しいＴＦＣが選択されることを特徴とする請求項３５に記載の装置。
【請求項３８】
前記ＭＡＣ  ＰＤＵが、再送信のために複数の断片化ＰＤＵに断片化され、それにより、それぞれの断片化ＰＤＵが、別々に再送信されることを特徴とする請求項３５に記載の装置。
【請求項３９】
前記多重化およびＴＳＮ設定ユニットは、前記最大のサポートされたＭＡＣ  ＰＤＵサイズに対する断片化のためのオーバヘッドを考慮することを特徴とする請求項３８に記載の装置。
【請求項４０】
前記ＭＡＣ  ＰＤＵの前記最初の送信のために使用されたものと同一のＴＦＣが、前記断片化されたＰＤＵの第１の再送信のために使用されることを特徴とする請求項３８に記載の装置。
【請求項４１】
前記ＭＡＣ  ＰＤＵの最初の送信のために使用された前記ＴＦＣと比較してより低いＭＣＳを有するＴＦＣが、前記断片化ＰＤＵの第１の再送信のために使用されることを特徴とする請求項３８に記載の装置。
【請求項４２】
ＮＡＣＫ（Negative ACKnowledgement：否定応答）により応答された断片のみが、引き続き再送信されることを特徴とする請求項３８に記載の装置。
【請求項４３】
最高の許容可能なＭＣＳと比較してより低いＭＣＳを有するＴＦＣが、ＮＡＣＫにより応答された前記断片のために使用されることを特徴とする請求項４２に記載の装置。
【請求項４４】
前記ＭＡＣ  ＰＤＵの送信が失敗したときに、前記ＴＦＣ回復および除去ユニットが、新しい無線リソースおよびパラメータに基づき新しい許容されたＴＦＣＳサブセットを生成し、それにより、前記ＭＡＣ  ＰＤＵが、前記新しい許容されたＴＦＣＳサブセットを使用することによって再送信されることを特徴とする請求項２７に記載の装置。
【請求項４５】
前記ＭＡＣ  ＰＤＵが、複数の断片化ＰＤＵに断片化され、それにより、それぞれの断片化されたＰＤＵが別々に再送信されることを特徴とする請求項４４に記載の装置。
【請求項４６】
前記多重化およびＴＳＮ設定ユニットは、前記最大のサポートされたＭＡＣ  ＰＤＵサイズに対する断片化のためのオーバヘッドを考慮することを特徴とする請求項４５に記載の装置。
【請求項４７】
前記ＭＡＣ  ＰＤＵの最初の送信のために使用されたものと同一のＴＦＣが、前記断片化ＰＤＵの第１の再送信のために使用されることを特徴とする請求項４６に記載の装置。
【請求項４８】
前記ＭＡＣ  ＰＤＵの最初の送信のために使用された前記ＴＦＣと比較してより低いＭＣＳを有するＴＦＣが、前記断片化ＰＤＵの第１の再送信のために使用されることを特徴とする請求項４６に記載の装置。
【請求項４９】
ＮＡＣＫ（Negative ACKnowledgement：否定応答）により応答された断片化ＰＤＵのみが、引き続き再送信されることを特徴とする請求項４５に記載の装置。
【請求項５０】
最高の許容可能なＭＣＳと比較してより低いＭＣＳを有するＴＦＣが、ＮＡＣＫにより応答された前記断片化ＰＤＵのために使用されることを特徴とする請求項４９に記載の装置。
【請求項５１】
前記無線通信システムが、３Ｇ  ＨＳＰＡ（High Speed Packet Access：高速パケット・アクセス）システムであること、を特徴とする請求項２７に記載の装置。
【請求項５２】
前記無線通信システムが、３Ｇシステムの長期発展形（long term evolution）であること、を特徴とする請求項２７に記載の装置。
【発明の詳細な説明】
【技術分野】
【０００１】
本発明は、無線通信システムに関する。本発明はより詳細には、ＴＦＣ（Transport Format Combination：トランスポート・フォーマット・コンビネーション）を選択するための方法および装置に関する。本発明は、３Ｇ（3rd Generation：第三世代）の無線通信システムにおけるＨＳＰＡ＋（High Speed Packet Access＋：高速パケット・アクセス＋）および３Ｇ無線通信システムにおけるＬＴＥ（Long Term Evolution）を含む、何れの無線通信システムに対しても適用可能である。
【背景技術】
【０００２】
３Ｇ無線通信システムの開発者は、３ＧシステムのＬＴＥが、高速データ速度の、待ち時間の短い、パケット最適化された、より大容量でかつ通信範囲のより優れた改善されたシステムを提供するための新しい無線アクセス・ネットワークを発展させるように検討している。これらの目標を達成するために、現在３Ｇシステムにおいて使用されるＣＤＭＡ（Code Division Multiple Access：符号分割多重アクセス）を使用する代わりに、ＯＦＤＭＡ（Orthogonal Frequency Division Multiple Access：直交周波数分割多重アクセス）およびＦＤＭＡ（Frequency Division Multiple Access：周波数分割多重アクセス）が、３ＧのＬＴＥの無線インタフェースとしてそれぞれ下り回線および上り回線送信に使用されるべきものとして提案されている。また並行して、ＨＳＰＡ＋と呼ばれる、従来のＣＤＭＡ準拠システムの発展したパケット最適化されたシステムを検討している。
【０００３】
ＬＴＥにおける基本的な上り回線送信方式は、サイクリック・プレフィックス（cyclic prefix）を有するＰＡＰＲ（Peak-to-Average Power Ratio：ピーク対平均電力比）の低い単一搬送波ＦＤＭＡ送信に準拠し、上り回線のユーザ間の直交性を達成し、そして受信機側での効率的な周波数領域等化(frequency-domain equalization)を可能とする。周波数適応型および周波数ダイバーシチ（frequency-diversity）送信の両方をサポートするために、局所化された送信および分散された送信の両方が使用される場合がある。ＨＳＰＡ＋における上り回線送信方式はＣＤＭＡに準拠する。
【０００４】
図１は、ＬＴＥにおいて提案された上り回線送信に対する基本的なサブ・フレーム構造を示す。サブ・フレームは、６つのＬＢ（Long Block：長ブロック）および２つのＳＢ（Short Block：短ブロック）を含む。あるいは、サブ・フレームあたり３つのＳＢを使用する場合がある。図２は、周波数領域における副搬送波ブロックの割り当てを示す。割り当てられた副搬送波（例えば、１０の副搬送波）上で、７つのＯＦＤＭＡ（Orthogonal Frequency Division Multiple Access：直交周波数分割多重アクセス）シンボルが０．５ｍｓｅｃのサブ・フレームの間に送信される。図２に示されるように、イン・バンド・パイロット・シンボルおよびデータ・シンボルが副搬送波中に多重化されている。
【発明の開示】
【発明が解決しようとする課題】
【０００５】
上り回線送信に対する、物理層構造の変更、新しい属性、およびリソース割り当て方式に起因して、現在の無線通信規格において定義されたＴＦＣ選択手順は、新しいシステム要件に対処することができず、従ってその一部は再設計されるべきである。ＬＴＥにおいては、副搬送波ブロックの数およびＴＴＩの数が、ＴＦＣ選択のために考慮されるべき新しい無線リソースであり、同一のデータ・ブロックの再送信のために再割り当てされた無線リソースおよびパラメータは、最初の送信に対して使用されたものとは異なる場合がある。ＨＳＰＡ＋およびＬＴＥにおいては、同一のデータ・ブロックの再送信のために割り当てられた無線リソースおよびパラメータが最初の送信に対して使用されたものと同一のままであった場合でさえも、同一のＴＦＣ選択（特に同一のＭＣＳ（Modulation and Coding  Scheme：変調および符号化方式））を使用することは、フェージング・チャンネルを克服し、そして再送信の数を減少させるために効率的ではない場合がある。
【０００６】
従って、データ・ブロックの複数のセットの中の１つのデータ・ブロックのセットに対して新しいＴＦＣ選択手順を提供し、これらの新しい機能を勘案し、そしてその後の再送信がチャンネル状態に適合するようにＭＣＳを変更することが望ましいであろう。
【課題を解決するための手段】
【０００７】
本発明は、データ・ブロックの複数のセットの中の１つのデータ・ブロックのセットに対してＴＦＣを選択するための方法および装置に関する。ＴＦＣ回復および除去ユニットが、割り当てられた無線リソースおよびパラメータに基づき、サポートされたＴＦＣを回復することおよびサポートされなかったＴＦＣを除去することにより、許容されたＴＦＣＳ（Transport Format Combination Set：トランスポート・フォーマット・コンビネーション・セット）のサブセットを生成する。トランスポート・フォーマットの属性には、ＭＣＳ、および副搬送波ブロックの数および分布が含まれる。多重化およびＴＳＮ（Transmission Sequence Number：送信シーケンス番号）設定ユニットが、最大のサポートされたＬＴＥ  ＭＡＣ（Medium Access Control：媒体アクセス制御）ＰＤＵ（Protocol Data Unit：プロトコル・データ・ユニット）のサイズの中で少なくとも１つの上位層のＰＤＵを多重化することによって、ＬＴＥ  ＭＡＣ  ＰＤＵを生成する。ＴＦＣ選択および詰め込み（padding）ユニットが、許容されたＴＦＣＳサブセットからＬＴＥ  ＭＡＣ  ＰＤＵに対するＴＦＣを選択し、必要ならば、ＬＴＥ  ＭＡＣ  ＰＤＵが選択されたＴＦＣに合致するように、ＬＴＥ  ＭＡＣ  ＰＤＵの詰め込みを実行する。再送信に関しては、新しい無線リソースおよびパラメータに基づき新しく許容されたＴＦＣＳサブセットが生成される場合があり、そしてＬＴＥ  ＭＡＣ  ＰＤＵが断片化される場合がある。
【発明を実施するための最良の形態】
【０００８】
今後参照されると、限定するものではないが、用語「ＷＴＲＵ（Wireless Transmit Receive Unit：無線送受信ユニット）」は、ＵＥ（User Equipment：ユーザ機器）、ＳＴＡ（mobile STAtion：移動端末）、固定または移動体の加入者ユニット、ページャ、または無線環境において動作する能力のある他のいかなるタイプのデバイスをも含む。今後参照されると、限定するものではないが、用語「ノードＢ」は、基地局、ｅノードＢ（evolvedノードＢ）、サイト制御装置、ＡＰ（Access Point：アクセス・ポイント）、または無線環境における他のいかなるタイプのインタフェース・デバイスをも含む。
【０００９】
本発明の特徴は、ＩＣ（Integrated Circuit：集積回路）に組み込むこと、または相互接続された多数のコンポーネントを具備する回路において構成することができる。
【００１０】
図３は、本発明に従って構成された無線通信システム３００である。システム３００には、ＷＴＲＵ３０２およびノードＢ３０４が含まれる。ノードＢ３０４は、ＷＴＲＵ３０２に対して、下り回線および上り回線送信の両方のために、無線リソースおよびパラメータを動的に割り当てる。割り当てられた無線リソースおよびパラメータには、限定するものではないが、最大許容送信電力、推奨ＭＣＳ、副搬送波ブロックの数および分布、ＴＴＩの数、または同様のものが含まれる。そしてＷＴＲＵ３０２は、上り回線送信用に割り当てられたリソースおよびパラメータに基づきＴＦＣを選択する。
【００１１】
ＴＦ（Transport Format：トランスポート・フォーマット）には、動的な部分および準静的（semi-static）な部分が含まれる。本発明によると、ＴＦの動的な部分には、変調速度、符号化速度、ならびに副搬送波ブロックの数および分布（ＬＴＥの場合のみ）を含む、追加属性が含まれる。ＴＦの動的な部分および準静的な部分は以下の通りである。
【００１２】
【表１】
2009520404.tif 000003
【００１３】
図４は、本発明によるＴＦＣ選択ユニット４００のブロック図である。ＴＦＣ選択ユニット４００は、ＷＴＲＵ３０２、またはノードＢ３０４のような任意のネットワーク・エンティティのＭＡＣ層に含むことができる。ＴＦＣ選択ユニット４００には、ＴＦＣ回復および除去ユニット４０２、多重化およびＴＳＮ設定ユニット４０４、およびＴＦＣ選択および詰め込みユニット４０６が含まれる。ＴＦＣ回復および除去ユニット４０２は、入力４０８に基づいて、サポートされなかったＴＦＣを除去することおよびサポートされたＴＦＣを回復することによって、許容されたＴＦＣＳサブセットを計算する。多重化およびＴＳＮ設定ユニット４０４は、複数の上位層のＰＤＵ４１０をＬＴＥ  ＭＡＣ  ＰＤＵに連結すること（すなわちＬＴＥ  ＭＡＣ  ＰＤＵは多重化された上位層ＰＤＵ群である）、および随意的に、それぞれのＬＴＥ  ＭＡＣ  ＰＤＵに対する論理チャンネルまたはＭＡＣフローあたりのＴＳＮを管理および設定することに関与する。ＴＦＣ選択および詰め込みユニット４０６は、最大のＬＴＥ  ＭＡＣ  ＰＤＵサイズをサポートすることが可能な適切なＴＦＣを選択し、必要ならば、ＬＴＥ  ＭＡＣ  ＰＤＵが選択されたＴＦＣに合致するように、詰め込みを実施する。ＴＦＣ選択および詰め込みユニット４０６の出力４１２は、ＬＴＥ  ＭＡＣ  ＰＤＵヘッダーの全体および選択されたＴＦＣである。
【００１４】
本発明は、ＴＦＣ選択に関して以下のように３つのシナリオを考慮する。  
１）シナリオ１：新しいデータ・ブロックの最初の送信。  
２）シナリオ２：新しい無線リソースおよびパラメータを割り当てることなしに、前に失敗したデータ・ブロックの再送信（すなわちデータ・ブロックは、最初の送信に対して割り当てられたものと同一の無線リソースおよびパラメータを使用して再送信される）。  ３）シナリオ３：新しい無線リソースおよびパラメータを用いて、前に失敗したデータ・ブロックの再送信（すなわちデータ・ブロックは、新しいリソースおよびパラメータを使用して再送信される）。
【００１５】
シナリオ１（すなわち、最初の送信）に対しては、ＴＦＣ回復および除去ユニット４０２がそれぞれのＴＦＣの状態（サポートされているかブロックされているかの何れか）を判定し許容されたＴＦＣＳサブセットを計算する。ＴＦＣ回復および除去ユニット４０２へのＴＦＣ回復および除去のための入力は、限定するものではないが、少なくとも以下の１つを含むことができる。
【００１６】
ａ）それぞれの論理チャンネルのバッファ占有率。  
ｂ）それぞれの論理チャンネルおよびＭＡＣフローの優先度（あるいは、単に送信するべきデータを有する最優先ＭＡＣフローの表示）。  
ｃ）最大許容電力および他の応用のための所要電力から計算された残存送信電力。  
ｄ）ＲＲＣ（Radio Resource Control：無線リソース制御）によって構成されたＴＦＣＳであって、ＴＦＣＳはすべての可能なＭＣＳおよび副搬送波ブロックの関連サブセットを含む。  
ｅ）Ｈ−ＡＲＱ（Hybrid Automatic Repeat Request：ハイブリッド自動再送要求）のＩＤ（identity：識別子）。  
ｆ）Ｈ−ＡＲＱ再送信の最大数。  
ｇ）断片化ＩＤ。  
ｈ）推奨ＭＣＳ。  
ｉ）割り当てられた副搬送波ブロック（ＬＴＥの場合のみ）。  
ｊ）ＴＴＩの割り当てられた数。
【００１７】
バッファ占有率は、送信できるデータの量およびＬＴＥ  ＭＡＣ  ＰＤＵサイズを決定するために使用される。それぞれの論理チャンネルおよびＭＡＣフローの優先度（または、送信するべきデータを有する最優先ＭＡＣフローの指示）は、論理チャンネル・データがＭＡＣ  ＰＤＵにどのように多重化されることになるかを決定するために使用される。残存送信電力は、ＬＴＥ  ＭＡＣ  ＰＤＵサイズ、ＭＣＳ、または同様のものを決定するために使用される。
【００１８】
ＴＦＣＳは、来るべき送信に対してそこから選ぶことを許容されたＴＦＣのセットである。ＴＦＣＳは、規格により特定され、そして／またはＲＲＣシグナリングにより構成される場合がある。ＴＦＣＳは、ノードＢからの高速ＭＡＣまたは物理層シグナリングにより動的に調整される場合がある。
【００１９】
Ｈ−ＡＲＱ  ＩＤは、ＬＴＥ  ＭＡＣ  ＰＤＵを処理することになるＨ−ＡＲＱエンティティを決定するために使用される。Ｈ−ＡＲＱ再送信の最大数が、このＬＴＥ  ＭＡＣ  ＰＤＵのためのＨ−ＡＲＱ送信の最大数をＨ−ＡＲＱ処理に知らせる。送信の数は、それぞれの論理チャンネルのＱｏＳ（Quality of Service：サービス品質）要件に直接的に関連する残存ＢＬＥＲ（Block Error Rate：ブロック誤り率）を決定する。これは、断片化が使用されるべきであるか、およびＭＣＳが変更されるべきであるかを決定するＴＦＣ選択ユニット４００に影響を与える。
【００２０】
断片化ＩＤは、さらなる断片化が実行されることになるか否か、および／またはＭＣＳが変更されるべきであるか否かを決定する。推奨ＭＣＳは、送信のための適切なＭＣＳの決定に影響を与える。割り当てられた副搬送波ブロックおよび割り当てられたＴＴＩの数は、適切なＬＴＥ  ＭＡＣ  ＰＤＵサイズを決定するために使用される。
【００２１】
残存電力は、他の応用のための所要電力を、最大許容電力から差し引くことにより計算される。最大許容電力は、スケジュールされた（望ましくはノードＢ３０４によってスケジュールされた）最大許容電力およびＷＴＲＵの最大送信電力の最小値に設定される。スケジュールされた最大許容電力は、ネットワークの第２層（Ｌ２）または第３層（Ｌ３）のシグナリングにより制御できる。ノードＢ３０４が推奨ＭＣＳを提供しない場合には、残存電力が電力の上限として使用される。ノードＢ３０４が推奨ＭＣＳをＷＴＲＵ３０２に提供する場合には、その推奨ＭＣＳに対する対応する送信電力が計算され、そして残存電力と比較され、何れか少ない方が、ＴＦＣ回復および除去のための電力の上限として使用される。
【００２２】
ＴＦＣ回復および除去ユニット４０２は、ＴＦＣＳにおけるそれぞれのＴＦＣのための所要電力を計算する。それぞれのＴＦＣのための所要電力は、それぞれのＴＦＣにおけるビットの数、副搬送波ブロックの割り当てられたサブセット（ＬＴＥの場合のみ）、それぞれのＴＦＣにおいて使用されるＭＣＳ、および送信に断片化が必要な場合における断片化のためのオーバヘッドに基づいて計算される。
【００２３】
ＴＦＣ回復および除去ユニット４０２は、所要電力が電力の上限を超過する任意のＴＦＣと、副搬送波ブロックの必要数が、割り当てられた副搬送波ブロックの数を超過する任意のＴＦＣ（ＬＴＥの場合のみ）と、ＭＣＳが推奨ＭＣＳを超過する任意のＴＦＣとを、そのようなＴＦＣの状態をブロックされているとして設定することにより除去し、ならびに残存のＴＦＣを、そのようなＴＦＣの状態をサポートされているとして設定することにより回復する。ＴＦＣ回復および除去処理は、ノードＢからの高速ＭＡＣまたは物理層のシグナリングによりさらに影響を受け、ＴＴＩまたはＴＴＩの半分毎にＴＦＣの許容されたセットを制限するか、または拡大するかの何れかとする場合がある。
【００２４】
多重化およびＴＳＮ設定ユニット４０４は、電力の上限（すなわち、推奨ＭＣＳおよび残存電力）、割り当てられた無線リソース（スケジュールされた副搬送波、ＴＴＩの数など）、送信のために利用可能なデータ、最大の利用可能なサポートされたＴＦＣ、または同様のものに基づき、最大のサポートされたＬＴＥ  ＭＡＣ  ＰＤＵサイズを決定し、かつ上位層ＭＡＣ  ＰＤＵ４１０の連結または分割の何れかを実行する。ＲＬＣバッファからのデータ・ブロック・サイズが、最大のサポートされたＬＴＥ  ＭＡＣ  ＰＤＵを超過しない場合には、多重化およびＴＳＮ設定ユニット４０４は、複数の上位層ＭＡＣ  ＰＤＵをＬＴＥ  ＭＡＣ  ＰＤＵに多重化する場合がある。
【００２５】
ＲＬＣバッファからのデータ・ブロック・サイズが、最大のサポートされたＬＴＥ  ＭＡＣ  ＰＤＵを超過する場合には、データ・ブロックは複数の断片に分割され、それぞれの断片は最大のサポートされたＬＴＥ  ＭＡＣ  ＰＤＵサイズに合致される。ＬＴＥ  ＭＡＣ  ＰＤＵはまた、連結されたおよび分割された上位層のＰＤＵの組み合わせである場合がある。多重化およびＴＳＮ設定ユニット４０４は随意的に、それぞれのＬＴＥ  ＭＡＣ  ＰＤＵおよび／またはＬＴＥ  ＭＡＣ  ＰＤＵの中のそれぞれのデータ・ブロックに対する論理チャンネルまたはＭＡＣフローあたりのＴＳＮを管理し、そして設定する。
【００２６】
ＴＦＣ選択および詰め込みユニット４０６は、次に、多重化されたＬＴＥ  ＭＡＣ  ＰＤＵサイズおよび許容されたＴＦＣＳサブセットにおけるＴＦＣから計算された中で最高のＴＦＣを選択することが望ましい。推奨ＭＣＳが提供される場合には、選択されたＴＦＣのＭＣＳは推奨ＭＣＳより大であるべきではない。ＴＦＣ選択および詰め込みユニット４０６は次に、必要なら、ＬＴＥ  ＭＡＣ  ＰＤＵが選択されたＴＦＣに合致するように、詰め込みを実行する。
【００２７】
シナリオ２（すなわち新しい無線リソースおよびパラメータのない再送信）に対しては、ＴＦＣ回復および除去ユニット４０２は、新しく許容されたＴＦＣＳサブセットを再度計算する必要はなく、そして最初の送信に対して使用された許容されたＴＦＣＳサブセットが再送信のために使用される。再送信に対しては、最初のＬＴＥ  ＭＡＣ  ＰＤＵを断片化する場合、またはしない場合がある。
【００２８】
再送信のために断片化が使用されないなら、ＴＦＣ選択および詰め込みユニット４０６は、最初の送信に対して使用されたのと同一のＬＴＥ  ＭＡＣ  ＰＤＵサイズを依然としてサポートすることが可能な、最初の送信に対して使用されたものより低いＭＣＳを有するＴＦＣを選択することができる。ＬＴＥの場合においては、新しいＭＣＳに対して必要とされる副搬送波の数は、最初の送信において使用されたものとは異なる場合があり、そして全体の割り当てられた副搬送波のサブセットのみが使用される場合がある。断片化が使用されない場合には、ＰＤＵを最初の送信と同一サイズにするために詰め込みが必要である。
【００２９】
断片化が使用される場合には、多重化およびＴＳＮ設定ユニット４０４は、断片化されたＬＴＥ  ＭＡＣ  ＰＤＵサイズを決定し、電力の上限がこのＰＤＵサイズをサポートできることを確実にするための断片化に対して必要なオーバヘッドを考慮する。それぞれの再送信に対して、ＴＦＣ選択および詰め込みユニット４０６により、ＬＴＥ  ＭＡＣ  ＰＤＵがいくつかの断片化ＰＤＵに断片化される場合がある。断片化ＰＤＵの数は、チャンネル状態測定に基づき決定される。望ましくは、第１の再送信に対しては最初の送信と同一のＴＦＣが使用され、そしてその後の再送信に対してはより強健なＭＣＳを使用する場合がある。
【００３０】
その後の再送信に対しては、それぞれの断片化ＰＤＵのＨ−ＡＲＱへのフィードバック（すなわち、ＡＣＫ（ACKnowledgement：肯定応答）またはＮＡＣＫ（Negative ACKnowledgement：否定応答）の何れか）に基づき、ＮＡＣＫにより応答した断片化ＰＤＵのみが再送される。送信の成功の確率を増加させるために、より低いＭＣＳを有するＴＦＣ（最も高い許容されたＭＣＳと比較して）、または許容されたＴＦＣＳサブセット（ＬＴＥに対する）の中の対応する副搬送波ブロックが、再送信における断片化ＰＤＵのために選択される場合がある。断片化ＰＤＵは最初の送信と同一のサイズである必要はない。推奨ＭＣＳが与えられるなら、選択されたＴＦＣにおけるＭＣＳは、推奨ＭＣＳより大であるべきではない。
【００３１】
シナリオ３（すなわち、新しい無線リソースおよびパラメータによる再送信）に対しては、再送信のために新しい無線リソースおよびパラメータ（例えば、最大許容送信電力、副搬送波ブロックの数（ＬＴＥに対する）、および推奨ＭＣＳ）が再割り当てされる。ＴＦＣ回復および除去ユニット４０２は、新しい入力に基づいて、新しく許容されたＴＦＣＳサブセットを計算するためにシナリオ１における許容されたＴＦＣＳサブセット計算手順を繰り返す。
【００３２】
断片化が使用されない場合には、再送信されるＬＴＥ  ＭＡＣ  ＰＤＵのサイズは、受信機側での、ソフト結合（すなわち増加的冗長性またはチェース合成(Chase combing)）に対する最初の送信のものと同一であるべきである。断片化が使用されない場合には、多重化およびＴＦＣ選択はシナリオ１のように適用される。
【００３３】
再送信に対して断片化が使用される場合には、それぞれの再送信に対して、ＬＴＥ  ＭＡＣ  ＰＤＵがいくつかの断片化ＰＤＵに断片化される場合がある。断片化ＰＤＵの数は、チャンネル状態測定に基づき決定される。随意的に、その後の再送信に対してはより強健なＴＦＣを使用する場合がある。あるいは、第１の再送信に対してはより低いＭＣＳを有するＴＦＣを使用する場合がある。
【００３４】
その後の再送信に対しては、それぞれの断片化ＰＤＵのＡＣＫ／ＮＡＣＫフィードバックに基づいて、ＮＡＣＫの断片化ＰＤＵのみが再送信される。送信の成功の確率を増加させるために、より低いＭＣＳ（最も高い許容されたＭＣＳと比較して）、および（ＬＴＥに対する）許容されたＴＦＣＳサブセットの中の対応する副搬送波ブロックが、再送信における断片化ＰＤＵのために選択される場合がある。断片化ＰＤＵは、最初の送信と同一のサイズである必要はない。推奨ＭＣＳが与えられる場合には、選択されたＴＦＣにおけるＭＣＳは推奨ＭＣＳより大であるべきではない。
【００３５】
図５は、本発明によるＴＦＣを選択するための処理５００のフロー図である。ノードＢは、下り回線および上り回線送信のための無線リソースおよびパラメータを割り当てる（ステップ５０２）。許容されたＴＦＣＳサブセットは、割り当てられた無線リソースおよびパラメータに基づき、サポートされたＴＦＣを回復すること、およびサポートされなかったＴＦＣを除去することによって、計算される（ステップ５０４）。ＬＴＥ  ＭＡＣ  ＰＤＵは、少なくとも１つの上位層のＰＤＵを多重化することにより、または最大のサポートされたＬＴＥ  ＭＡＣ  ＰＤＵサイズの中で上位層のＰＤＵを分割することにより、生成される（ステップ５０６）。ＬＴＥ  ＭＡＣ  ＰＤＵに対するＴＦＣは、許容されたＴＦＣＳサブセットから選択される（ステップ５０８）。必要な場合には、ＬＴＥ  ＭＡＣ  ＰＤＵが選択されたＴＦＣに合致するように、ＬＴＥ  ＭＡＣ  ＰＤＵに対して詰め込みが実行される（ステップ５１０）。そして、ＬＴＥ  ＭＡＣ  ＰＤＵが送信される（ステップ５１２）。
【００３６】
＜実施形態＞
１．無線通信システムにおいて、データの無線送信に対するＴＦＣを選択するための方法。
【００３７】
２．送信用の無線リソースおよびパラメータを割り当てるステップを備える、実施形態１の方法。
【００３８】
３．割り当てられた無線リソースおよびパラメータに基づき、サポートされたＴＦＣを回復することおよびサポートされなかったＴＦＣを除去することによって、許容されたＴＦＣＳサブセットを生成するステップを備える、実施形態２の方法。
【００３９】
４．ＴＦの属性がＭＣＳを含む、実施形態３の方法。
【００４０】
５．最大のサポートされたＭＡＣ  ＰＤＵサイズ中で少なくとも１つの上位層ＰＤＵを多重化することによってＭＡＣ  ＰＤＵを生成するステップを備える、実施形態１〜４のいずれかの方法。
【００４１】
６．許容されたＴＦＣＳサブセットから前記ＭＡＣ  ＰＤＵのためのＴＦＣを選択するステップを備える、実施形態５の方法。
【００４２】
７．ＭＡＣ  ＰＤＵが選択されたＴＦＣに合致するように、ＭＡＣ  ＰＤＵに対して詰め込みを実行するステップを備える、実施形態６の方法。
【００４３】
８．ＭＡＣ  ＰＤＵを送信するステップを備える、実施形態７の方法。
【００４４】
９．許容されたＴＦＣＳサブセットが、残存送信電力に基づき生成される、実施形態３〜８のいずれかの方法。
【００４５】
１０．許容されたＴＦＣＳサブセットは、推奨ＭＣＳに対応する送信電力に基づき生成される、実施形態３〜９のいずれかの方法。
【００４６】
１１．許容されたＴＦＣＳサブセットが、所要電力が残存送信電力および推奨ＭＣＳに対応する送信電力を超過する任意のＴＦＣを除去することにより生成される、実施形態３〜１０のいずれかの方法。
【００４７】
１２．許容されたＴＦＣＳサブセットは、副搬送波ブロックの所要数が、割り当てられた副搬送波ブロックの数を超過する任意のＴＦＣを除去することにより生成される、実施形態３〜１１のいずれかの方法。
【００４８】
１３．許容されたＴＦＣＳサブセットは、ＭＣＳが推奨ＭＣＳを超過する任意のＴＦＣを除去することにより生成される、実施形態３〜１２のいずれかの方法。
【００４９】
１４．ＴＦの属性が、副搬送波ブロックの分布および数を含む、実施形態４〜１３のいずれかの方法。
【００５０】
１５．許容されたＴＦＣＳサブセットが、残存送信電力、推奨ＭＣＳに対応する送信電力、および割り当てられた副搬送波ブロックの数の少なくとも１つに基づき生成される、実施形態３〜１４のいずれかの方法。
【００５１】
１６．ＭＡＣ  ＰＤＵの最初の送信が失敗したときに、ＭＡＣ  ＰＤＵを再送信するステップをさらに備える、実施形態８〜１５のいずれかの方法。
【００５２】
１７．再送信が、ＭＡＣ  ＰＤＵの最初の送信のために使用されたものと同一の無線リソースおよびパラメータを使用することによって実行される、実施形態１６の方法。
【００５３】
１８．最初の送信のために使用されたものと同一のＴＦＣが、ＭＡＣ  ＰＤＵの再送信のために使用される、実施形態１６〜１７のいずれかの方法。
【００５４】
１９．ＭＡＣ  ＰＤＵの再送信のために新しいＴＦＣが選択される、実施形態１６〜１７のいずれかの方法。
【００５５】
２０．ＭＡＣ  ＰＤＵが、再送信のために複数の断片化ＰＤＵに断片化され、それにより、それぞれの断片化ＰＤＵが、別々に再送信される、実施形態１６〜１９のいずれかの方法。
【００５６】
２１．最大のサポートされたＭＡＣ  ＰＤＵサイズのために、断片化のためのオーバヘッドが考慮される、実施形態２０の方法。
【００５７】
２２．ＭＡＣ  ＰＤＵの最初の送信のために使用されたものと同一のＴＦＣが、断片化ＰＤＵの最初の再送信のために使用される、実施形態２０〜２１のいずれかの方法。
【００５８】
２３．ＭＡＣ  ＰＤＵの最初の送信のために使用されたＴＦＣと比較してより低いＭＣＳを有するＴＦＣが、断片化されたＰＤＵの最初の再送信のために使用される、実施形態２０〜２１のいずれかの方法。
【００５９】
２４．ＮＡＣＫにより応答された断片のみが、引き続き再送信される、実施形態２０〜２３のいずれかの方法。
【００６０】
２５．最高の許容可能なＭＣＳと比較してより低いＭＣＳを有するＴＦＣが、ＮＡＣＫにより応答された断片のために使用される、実施形態２４の方法。
【００６１】
２６．ＭＡＣ  ＰＤＵの送信が失敗したときに、新しい無線リソースおよびパラメータを割り当てるステップをさらに備える、実施形態８〜２５のいずれかの方法。
【００６２】
２７．ＭＡＣ  ＰＤＵの再送信のための新しいＴＦＣを選択するために、実施形態２〜７におけるステップを繰り返すことを備える、実施形態２６の方法。
【００６３】
２８．ＭＡＣ  ＰＤＵが、複数の断片化されたＰＤＵに断片化され、それにより、それぞれの断片化ＰＤＵが別々に再送信される、実施形態２７の方法。
【００６４】
２９．最大のサポートされたＭＡＣ  ＰＤＵサイズのために、断片化のためのオーバヘッドが考慮される、実施形態２８の方法。
【００６５】
３０．ＭＡＣ  ＰＤＵの最初の送信のために使用されたものと同一のＴＦＣが、断片化されたＰＤＵの最初の再送信のために使用される、実施形態２８〜２９のいずれかの方法。
【００６６】
３１．ＭＡＣ  ＰＤＵの最初の送信のために使用されたＴＦＣと比較してより低いＭＣＳを有するＴＦＣが、断片化されたＰＤＵの最初の再送信のために使用される、実施形態２８〜２９のいずれかの方法。
【００６７】
３２．ＮＡＣＫにより応答された断片化されたＰＤＵのみが、引き続き再送信される、実施形態２８〜３１のいずれかの方法。
【００６８】
３３．最高の許容可能なＭＣＳと比較してより低いＭＣＳを有するＴＦＣが、ＮＡＣＫにより応答された前記断片化されたＰＤＵのために使用される、実施形態３２の方法。
【００６９】
３４．無線通信システムが、３Ｇ  ＨＳＰＡシステムである、実施形態１〜３３のいずれかの方法。
【００７０】
３５．無線通信システムが、３Ｇシステムの長期発展形（long term evolution）である、実施形態１〜３４のいずれかの方法。
【００７１】
３６．無線通信システムにおいてデータの無線送信のためのＴＦＣを選択するための装置。
【００７２】
３７．割り当てられた無線リソースおよびパラメータに基づき、サポートされたＴＦＣを回復することおよびサポートされなかったＴＦＣを除去することにより、許容されたＴＦＣＳサブセットを生成するためのＴＦＣ回復および除去ユニットを備える、実施形態３６の装置。
【００７３】
３８．ＴＦの属性がＭＣＳを含む、実施形態３７の装置。
【００７４】
３９．最大のサポートされたＭＡＣ  ＰＤＵサイズ中で少なくとも１つの上位層ＰＤＵを多重化することによってＭＡＣ  ＰＤＵを生成するための多重化およびＴＳＮ設定ユニットを備える、実施形態３７〜３８のいずれかの装置。
【００７５】
４０．許容されたＴＦＣＳサブセットからＭＡＣ  ＰＤＵのためのＴＦＣを選択すること、およびＭＡＣ  ＰＤＵが選択されたＴＦＣに合致するように、ＭＡＣ  ＰＤＵに対して詰め込みを実行することのための、ＴＦＣ選択および詰め込みユニットを備える、実施形態３９の装置。
【００７６】
４１．許容されたＴＦＣＳサブセットが、残存送信電力に基づき生成される、実施形態３７〜４０のいずれかの装置。
【００７７】
４２．許容されたＴＦＣＳサブセットが、推奨ＭＣＳに対応する送信電力に基づき生成される、実施形態３７〜４１のいずれかの装置。
【００７８】
４３．許容されたＴＦＣＳサブセットは、所要電力が残存送信電力および推奨ＭＣＳに対応する送信電力を超過する任意のＴＦＣを除去することにより生成される、実施形態３７〜４２のいずれかの装置。
【００７９】
４４．許容されたＴＦＣＳサブセットは、副搬送波ブロックの所要数が、割り当てられた副搬送波ブロックの数を超過する任意のＴＦＣを除去することにより生成される、実施形態３７〜４３のいずれかの装置。
【００８０】
４５．許容されたＴＦＣＳサブセットは、ＭＣＳが推奨ＭＣＳを超過する任意のＴＦＣを除去することにより生成される、実施形態３７〜４４のいずれかの装置。
【００８１】
４６．ＴＦの属性が、副搬送波ブロックの分布および数を含む、実施形態３８〜４５のいずれかの装置。
【００８２】
４７．許容されたＴＦＣＳサブセットが、残存送信電力、推奨ＭＣＳに対応する送信電力、および割り当てられた副搬送波ブロックの数の少なくとも１つに基づき生成される、実施形態３７〜４６のいずれかの装置。
【００８３】
４８．ＭＡＣ  ＰＤＵの最初の送信が失敗したときに、ＭＡＣ  ＰＤＵが再送信される、実施形態４０〜４７のいずれかの装置。
【００８４】
４９．再送信が、ＭＡＣ  ＰＤＵの最初の送信のために使用されたものと同一の無線リソースおよびパラメータを使用することによって実行される、実施形態４８の装置。
【００８５】
５０．最初の送信のために使用されたものと同一のＴＦＣが、ＭＡＣ  ＰＤＵの再送信のために使用される、実施形態４８〜４９のいずれかの装置。
【００８６】
５１．ＭＡＣ  ＰＤＵの再送信のために新しいＴＦＣが選択される、実施形態４８〜４９のいずれかの装置。
【００８７】
５２．ＭＡＣ  ＰＤＵが、再送信のために複数の断片化ＰＤＵに断片化され、それにより、それぞれの断片化されたＰＤＵが、別々に再送信される、実施形態４８〜５１のいずれかの装置。
【００８８】
５３．多重化およびＴＳＮ設定ユニットが、最大のサポートされたＭＡＣ  ＰＤＵサイズのために、断片化のためのオーバヘッドを考慮する、実施形態５２の装置。
【００８９】
５４．ＭＡＣ  ＰＤＵの最初の送信のために使用されたものと同一のＴＦＣが、断片化ＰＤＵの最初の再送信のために使用される、実施形態５２〜５３のいずれかの装置。
【００９０】
５５．ＭＡＣ  ＰＤＵの最初の送信のために使用されたＴＦＣと比較してより低いＭＣＳを有するＴＦＣが、断片化ＰＤＵの最初の再送信のために使用される、実施形態５２〜５３のいずれかの装置。
【００９１】
５６．ＮＡＣＫにより応答された断片のみが、引き続き再送信される、実施形態５２〜５６のいずれかの装置。
【００９２】
５７．最高の許容可能なＭＣＳと比較してより低いＭＣＳを有するＴＦＣが、ＮＡＣＫにより応答された断片のために使用される、実施形態５６の装置。
【００９３】
５８．ＭＡＣ  ＰＤＵの送信が失敗したときに、ＴＦＣ回復および除去ユニットが、新しい無線リソースおよびパラメータに基づき新しい許容されたＴＦＣＳサブセットを生成し、しれにより、ＭＡＣ  ＰＤＵが新しい許容されたＴＦＣＳサブセットを使用することにより再送信される、実施形態４８の装置。
【００９４】
５９．ＭＡＣ  ＰＤＵが、複数の断片化されたＰＤＵに断片化され、それにより、それぞれの断片化されたＰＤＵが別々に再送信される、実施形態５８の装置。
【００９５】
６０．多重化およびＴＳＮ設定ユニットが、最大のサポートされたＭＡＣ  ＰＤＵサイズのために断片化のためのオーバヘッドを考慮する、実施形態５９の装置。
【００９６】
６１．ＭＡＣ  ＰＤＵの最初の送信のために使用されたものと同一のＴＦＣが、断片化されたＰＤＵの最初の再送信のために使用される、実施形態５９〜６０のいずれかの装置。
【００９７】
６２．ＭＡＣ  ＰＤＵの最初の送信のために使用されたＴＦＣと比較してより低いＭＣＳを有するＴＦＣが、断片化されたＰＤＵの最初の再送信のために使用される、実施形態５９〜６０のいずれかの装置。
【００９８】
６３．ＮＡＣＫにより応答された断片化されたＰＤＵのみが、引き続き再送信される、実施形態５９〜６２のいずれかの装置。
【００９９】
６４．最高の許容可能なＭＣＳと比較してより低いＭＣＳを有するＴＦＣが、ＮＡＣＫにより応答された断片化されたＰＤＵのために使用される、実施形態５９〜６３のいずれかの装置。
【０１００】
６５．無線通信システムが、３Ｇ  ＨＳＰＡシステムである、実施形態３６〜６４のいずれかの装置。
【０１０１】
６６．無線通信システムが、３Ｇシステムの長期発展形（long term evolution）である、実施形態３６〜６４のいずれかの装置。
【０１０２】
本発明の特徴および要素が好適な実施形態において特定の組み合わせにて記述されているが、それぞれの特徴または要素は好適な実施形態の他の特徴および要素なしで単独にて、または本発明の他の特徴および要素のあるなしにかかわらず、様々な組み合わせにて使用可能である。本発明において提供された方法またはフロー図は、汎用計算機または処理装置による実行のためのコンピュータで読み込み可能な記憶媒体において実体的に具現化されるコンピュータ・プログラム、ソフトウェア、またはファームウェアにおいて実施することができる。コンピュータで読み込み可能な記憶媒体の例には、ＲＯＭ（Read Only Memory：読み出し専用メモリ）、ＲＡＭ（Random Access Memory：ランダム・アクセス・メモリ）、レジスタ、キャッシュ・メモリ、半導体記憶デバイス、内蔵ハード・ディスクおよび着脱可能ディスクなどの磁気的媒体、磁気光学的媒体、ならびにＣＤ−ＲＯＭディスクおよびＤＶＤ（Digital Versatile Disk：デジタル多用途ディスク）などの光学的媒体が含まれる。
【０１０３】
適当するプロセッサには、例として、汎用目的プロセッサ、専用目的プロセッサ、従来型プロセッサ、ＤＳＰ（Digital Signal Processor：デジタル信号プロセッサ）、複数のマイクロプロセッサ、ＤＳＰコアに関連付けられた１つまたは複数のマイクロプロセッサ、制御装置、マイクロ制御装置、ＡＳＩＣ（Application Specific Integrated Circuit：特定用途向け集積回路）、ＦＰＧＡ（Field Programmable Gate Array）回路、任意の集積回路、および／または状態マシンが含まれる。
【０１０４】
ＷＴＲＵ、ユーザ機器、端末、基地局、無線ネットワーク制御装置、または任意のホストコンピュータにおいて使用するための、無線周波数送受信機を実施するために、ソフトウェアに関連付けられたプロセッサを使用することができる。ＷＴＲＵは、ハードウェアおよび／またはソフトウェアで実施され、カメラ、ビデオカメラ・モジュール、テレビ電話、スピーカフォン、振動デバイス、スピーカ、マイクロホン、テレビ送受信機、ハンズフリー受話器、キーボード、ブルートゥース・モジュール、ＦＭ（Frequency Modulated：周波数変調）された無線ユニット、ＬＣＤ（Liquid Crystal Display：液晶）表示ユニット、ＯＬＥＤ（Organic Light-Emitting Diode：有機発光ダイオード）表示ユニット、デジタル音楽プレーヤ、メディア・プレーヤ、テレビゲーム・プレーヤ・モジュール、インターネット・ブラウザ、および／または任意のＷＬＡＮ（Wireless Local Area Network：無線ローカル・エリア・ネットワーク）モジュールなどのモジュールと連動して使用することができる。
【図面の簡単な説明】
【０１０５】
【図１】ＬＴＥにおける上り回線送信に対する提案された基本的なサブ・フレーム構造を示す図である。
【図２】ＬＴＥにおける周波数領域での副搬送波ブロックの割り当てを示す図である。
【図３】本発明に従って構成された無線通信システムを示す図である。
【図４】本発明によるＴＦＣ選択ユニットのブロック図である。
【図５】本発明によるＴＦＣを選択するための処理のフロー図である。
【図１】
2009520404.tif 000004
【図２】
2009520404.tif 000005
【図３】
2009520404.tif 000006
【図４】
2009520404.tif 000007
【図５】
2009520404.tif 000008
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
ＯＦＤＭ（Orthogonal Frequency Division Multiplexing：直交周波数分割多重化）準拠の無線通信システムにおけるデータの無線送信のためのＴＦＣ（Transport Format Combination：トランスポート・フォーマット・コンビネーション）を選択するための方法であって、
（ａ）送信用の無線リソースおよびパラメータを割り当てるステップと、
（ｂ）割り当てられた副搬送波ブロックを含む前記割り当てられた無線リソースおよびパラメータに基づき、サポートされたＴＦＣを回復することおよびサポートされなかったＴＦＣを除去することによって、許容されたＴＦＣＳ（Transport Format Combination Set：トランスポート・フォーマット・コンビネーション・セット）サブセットを生成するステップであって、ＴＦ（Transport Format：トランスポート・フォーマット）の属性がＭＣＳ（Modulation and Coding Scheme：変調および符号化方式）、ならびに副搬送波ブロックの分布および数を含む、ステップと、
（ｃ）最大のサポートされたＭＡＣ（Medium Access Control：媒体アクセス制御）ＰＤＵ（Protocol Data Unit：プロトコル・データ・ユニット）サイズ中で少なくとも１つの上位層ＰＤＵを多重化することによってＭＡＣ  ＰＤＵを生成するステップと、
（ｄ）前記許容されたＴＦＣＳサブセットから、前記ＭＡＣ  ＰＤＵのためのＴＦＣを選択するステップと、
（ｅ）前記ＭＡＣ  ＰＤＵが前記選択されたＴＦＣに合致するように、前記ＭＡＣ  ＰＤＵに対して詰め込みを実行するステップと、
（ｆ）前記ＭＡＣ  ＰＤＵを送信するステップと
を備えることを特徴とする方法。
【請求項２】
前記許容されたＴＦＣＳサブセットは、残存送信電力に基づき生成されることを特徴とする請求項１に記載の方法。
【請求項３】
前記許容されたＴＦＣＳサブセットは、推奨ＭＣＳに対応する送信電力に基づき生成されることを特徴とする請求項２に記載の方法。
【請求項４】
前記許容されたＴＦＣＳサブセットは、所要電力が前記残存送信電力および前記推奨ＭＣＳに対応する送信電力を超過する任意のＴＦＣを除去することにより生成されることを特徴とする請求項３に記載の方法。
【請求項５】
前記許容されたＴＦＣＳサブセットは、副搬送波ブロックの所要数が、割り当てられた副搬送波ブロックの数を超過する任意のＴＦＣを除去することにより生成されることを特徴とする請求項３に記載の方法。
【請求項６】
前記許容されたＴＦＣＳサブセットは、ＭＣＳが前記推奨ＭＣＳを超過する任意のＴＦＣを除去することにより生成されることを特徴とする請求項３に記載の方法。
【請求項７】
前記許容されたＴＦＣＳサブセットは、残存送信電力、推奨ＭＣＳに対応する送信電力、および割り当てられた副搬送波ブロックの前記数の少なくとも１つに基づき生成されることを特徴とする請求項１に記載の方法。
【請求項８】
（ｇ）前記ＭＡＣ  ＰＤＵの最初の送信が失敗したときに、前記ＭＡＣ  ＰＤＵを再送信するステップであって、前記再送信が、前記ＭＡＣ  ＰＤＵの前記最初の送信のために使用されたものと同一の無線リソースおよびパラメータを使用することによって実行される、ステップをさらに備えることを特徴とする請求項１に記載の方法。
【請求項９】
前記最初の送信のために使用されたものと同一のＴＦＣが、前記ＭＡＣ  ＰＤＵの再送信のために使用されることを特徴とする請求項８に記載の方法。
【請求項１０】
前記ＭＡＣ  ＰＤＵの再送信のために新しいＴＦＣが選択されることを特徴とする請求項８に記載の方法。
【請求項１１】
前記ＭＡＣ  ＰＤＵが、再送信のために複数の断片化ＰＤＵに断片化され、それにより、それぞれの断片化ＰＤＵが別々に再送信されることを特徴とする請求項８に記載の方法。
【請求項１２】
前記最大のサポートされたＭＡＣ  ＰＤＵサイズのために、断片化のためのオーバヘッドが考慮されることを特徴とする請求項１１に記載の方法。
【請求項１３】
前記ＭＡＣ  ＰＤＵの前記最初の送信のために使用されたものと同一のＴＦＣが、前記断片化ＰＤＵの第１の再送信のために使用されることを特徴とする請求項１１に記載の方法。
【請求項１４】
前記ＭＡＣ  ＰＤＵの最初の送信のために使用された前記ＴＦＣと比較してより低いＭＣＳを有するＴＦＣが、前記断片化ＰＤＵの第１の再送信のために使用されることを特徴とする請求項１１に記載の方法。
【請求項１５】
ＮＡＣＫ（Negative ACKnowledgement：否定応答）により応答された断片のみが、引き続き再送信されることを特徴とする請求項１１に記載の方法。
【請求項１６】
最高の許容可能なＭＣＳと比較してより低いＭＣＳを有するＴＦＣが、ＮＡＣＫにより応答された前記断片のために使用されることを特徴とする請求項１５に記載の方法。
【請求項１７】
（ｇ）前記ＭＡＣ  ＰＤＵの送信が失敗したときに、新しい無線リソースおよびパラメータを割り当てるステップと、
前記ＭＡＣ  ＰＤＵの再送信のための新しいＴＦＣを選択するためにステップ（ｂ）〜（ｅ）を繰り返すステップと
をさらに備えることを特徴とする請求項１に記載の方法。
【請求項１８】
前記ＭＡＣ  ＰＤＵが、複数の断片化ＰＤＵに断片化され、それにより、それぞれの断片化ＰＤＵが別々に再送信されることを特徴とする請求項１７に記載の方法。
【請求項１９】
前記最大のサポートされたＭＡＣ  ＰＤＵサイズのために、断片化のためのオーバヘッドが考慮されることを特徴とする請求項１８に記載の方法。
【請求項２０】
前記ＭＡＣ  ＰＤＵの最初の送信のために使用されたものと同一のＴＦＣが、前記断片化ＰＤＵの第１の再送信のために使用されることを特徴とする請求項１９に記載の方法。
【請求項２１】
前記ＭＡＣ  ＰＤＵの最初の送信のために使用された前記ＴＦＣと比較してより低いＭＣＳを有するＴＦＣが、前記断片化ＰＤＵの第１の再送信のために使用されることを特徴とする請求項１９に記載の方法。
【請求項２２】
ＮＡＣＫ（Negative ACKnowledgement：否定応答）により応答された断片化ＰＤＵのみが、引き続き再送信されることを特徴とする請求項１８に記載の方法。
【請求項２３】
最高の許容可能なＭＣＳと比較してより低いＭＣＳを有するＴＦＣが、ＮＡＣＫにより応答された前記断片化ＰＤＵのために使用されることを特徴とする請求項２２に記載の方法。
【請求項２４】
前記無線通信システムが、３Ｇ（3rd Generation）システムの長期発展形（long term evolution）であることを特徴とする請求項１に記載の方法。
【請求項２５】
ＯＦＤＭ（Orthogonal Frequency Division Multiplexing：直交周波数分割多重化）準拠の無線通信システムにおけるデータの無線送信のためのＴＦＣ（Transport Format Combination：トランスポート・フォーマット・コンビネーション）を選択するための装置であって、
割り当てられた副搬送波ブロックを含む割り当てられた無線リソースおよびパラメータに基づき、サポートされたＴＦＣを回復することおよびサポートされなかったＴＦＣを除去することにより、許容されたＴＦＣＳ（Transport Format Combination Set：トランスポート・フォーマット・コンビネーション・セット）サブセットを生成するためのＴＦＣ回復および除去ユニットであって、ＴＦ（Transport Format：トランスポート・フォーマット）の属性が、ＭＣＳ（Modulation and Coding Scheme：変調および符号化方式）、ならびに副搬送波ブロックの分布および数を含む、ＴＦＣ回復および除去ユニットと、
最大のサポートされたＭＡＣ（Medium Access Control：媒体アクセス制御）ＰＤＵ（Protocol Data Unit：プロトコル・データ・ユニット）サイズ中で少なくとも１つの上位層ＰＤＵを多重化することによってＭＡＣ  ＰＤＵを生成するための多重化およびＴＳＮ（Transmission Sequence Number：送信シーケンス番号）設定ユニットと、
前記許容されたＴＦＣＳサブセットから前記ＭＡＣ  ＰＤＵのためのＴＦＣを選択し、かつ前記ＭＡＣ  ＰＤＵが前記選択されたＴＦＣに合致するように、前記ＭＡＣ  ＰＤＵに対して詰め込みを実行するためのＴＦＣ選択および詰め込みユニットと
を備えることを特徴とする装置。
【請求項２６】
前記許容されたＴＦＣＳサブセットは、残存送信電力に基づき生成されることを特徴とする請求項２５に記載の装置。
【請求項２７】
前記許容されたＴＦＣＳサブセットは、推奨ＭＣＳに対応する送信電力に基づき生成されることを特徴とする請求項２６に記載の装置。
【請求項２８】
前記許容されたＴＦＣＳサブセットは、所要電力が前記残存送信電力および前記推奨ＭＣＳに対応する送信電力を超過する任意のＴＦＣを除去することにより生成されることを特徴とする請求項２７に記載の装置。
【請求項２９】
前記許容されたＴＦＣＳサブセットは、副搬送波ブロックの所要数が、割り当てられた副搬送波ブロックの数を超過する任意のＴＦＣを除去することにより生成されることを特徴とする請求項２７に記載の装置。
【請求項３０】
前記許容されたＴＦＣＳサブセットは、ＭＣＳが前記推奨ＭＣＳを超過する任意のＴＦＣを除去することにより生成されることを特徴とする請求項２７に記載の装置。
【請求項３１】
前記許容されたＴＦＣＳサブセットは、残存送信電力、推奨ＭＣＳに対応する送信電力、および割り当てられた副搬送波ブロックの前記数の少なくとも１つに基づき生成されることを特徴とする請求項２５に記載の装置。
【請求項３２】
前記ＭＡＣ  ＰＤＵの最初の送信が失敗したときに、前記ＭＡＣ  ＰＤＵが再送信され、前記再送信は、前記ＭＡＣ  ＰＤＵの前記最初の送信のための使用されたものと同一の無線リソースおよびパラメータを使用することによって実行されることを特徴とする請求項２５に記載の装置。
【請求項３３】
前記最初の送信のために使用されたものと同一のＴＦＣが、前記ＭＡＣ  ＰＤＵの再送信のために使用されることを特徴とする請求項３２に記載の装置。
【請求項３４】
前記ＭＡＣ  ＰＤＵの再送信のために新しいＴＦＣが選択されることを特徴とする請求項３２に記載の装置。
【請求項３５】
前記ＭＡＣ  ＰＤＵが、再送信のために複数の断片化ＰＤＵに断片化され、それにより、それぞれの断片化ＰＤＵが別々に再送信されることを特徴とする請求項３２に記載の装置。
【請求項３６】
前記多重化およびＴＳＮ設定ユニットが、前記最大のサポートされたＭＡＣ  ＰＤＵサイズのために、断片化のためのオーバヘッドを考慮することを特徴とする請求項３５に記載の装置。
【請求項３７】
前記ＭＡＣ  ＰＤＵの前記最初の送信のために使用されたものと同一のＴＦＣが、前記断片化ＰＤＵの第１の再送信のために使用されることを特徴とする請求項３５に記載の装置。
【請求項３８】
前記ＭＡＣ  ＰＤＵの最初の送信のために使用された前記ＴＦＣと比較してより低いＭＣＳを有するＴＦＣが、前記断片化ＰＤＵの第１の再送信のために使用されることを特徴とする請求項３５に記載の装置。
【請求項３９】
ＮＡＣＫ（Negative ACKnowledgement：否定応答）により応答された断片のみが、引き続き再送信されることを特徴とする請求項３５に記載の装置。
【請求項４０】
最高の許容可能なＭＣＳと比較してより低いＭＣＳを有するＴＦＣが、ＮＡＣＫにより応答された前記断片のために使用されることを特徴とする請求項３９に記載の装置。
【請求項４１】
前記ＭＡＣ  ＰＤＵの送信が失敗したときに、前記ＴＦＣ回復および除去ユニットが、新しい無線リソースおよびパラメータに基づき新しい許容されたＴＦＣＳサブセットを生成し、それにより、前記ＭＡＣ  ＰＤＵが前記新しい許容されたＴＦＣＳサブセットを使用することにより再送信されることを特徴とする請求項２５に記載の装置。
【請求項４２】
前記ＭＡＣ  ＰＤＵが、複数の断片化ＰＤＵに断片化され、それにより、それぞれの断片化されたＰＤＵが別々に再送信されることを特徴とする請求項４１に記載の装置。
【請求項４３】
前記多重化およびＴＳＮ設定ユニットが、前記最大のサポートされたＭＡＣ  ＰＤＵサイズのために、断片化のためのオーバヘッドを考慮することを特徴とする請求項４２に記載の装置。
【請求項４４】
前記ＭＡＣ  ＰＤＵの最初の送信のために使用されたものと同一のＴＦＣが、前記断片化ＰＤＵの第１の再送信のために使用されることを特徴とする請求項４３に記載の装置。
【請求項４５】
前記ＭＡＣ  ＰＤＵの最初の送信のために使用された前記ＴＦＣと比較してより低いＭＣＳを有するＴＦＣが、前記断片化ＰＤＵの第１の再送信のために使用されることを特徴とする請求項４３に記載の装置。
【請求項４６】
ＮＡＣＫ（Negative ACKnowledgement：否定応答）により応答された断片化されたＰＤＵのみが、引き続き再送信されることを特徴とする請求項４２に記載の装置。
【請求項４７】
最高の許容可能なＭＣＳと比較してより低いＭＣＳを有するＴＦＣが、ＮＡＣＫにより応答された前記断片化ＰＤＵのために使用されることを特徴とする請求項４６に記載の装置。
【請求項４８】
前記無線通信システムが、３Ｇ（3rd Generation）システムの長期発展形（long term evolution）であること、を特徴とする請求項２５に記載の装置。
【国際調査報告】
2009520404.tif 000009
2009520404.tif 000010